(57)【要約】【課題】白基準を設けることなく、正確な補正データが得られるようにする。【解決手段】イメージセンサユニット１ａは、発光素子３１ａと、発光素子３１ａが発する光を線状化する略棒状の導光体３２と、被照明体Ｐからの光を集光する集光体１３と、集光体１３により集光された光を検出するイメージセンサ１５と、導光体３２が収容される導光体収容室２０２と、イメージセンサ１５が収容されるイメージセンサ収容室１０３とが形成されるフレーム１０と、を有し、フレーム１０には、導光体３２から集光体１３を介さずにイメージセンサ１５に至る補正用光路１０８が形成される。【選択図】図４Ａ
2016149769.tif 000002
【特許請求の範囲】
【請求項１】
被照明体に光を照射して前記被照明体からの光を検出するイメージセンサユニットであって、
線状光源と、
前記被照明体からの光を集光する集光体と、
前記被照明体からの光を検出するイメージセンサと、
前記線状光源が収容される線状光源収容室と前記イメージセンサが収容されるイメージセンサ収容室とが形成されるフレームと、
を有し、
前記フレームには、前記線状光源収容室から前記イメージセンサ収容室に至る光路が形成されることを特徴とするイメージセンサユニット。
【請求項２】
前記光路は、前記線状光源収容室と前記イメージセンサ収容室とを連通する貫通孔であることを特徴とする請求項１に記載のイメージセンサユニット。
【請求項３】
前記貫通孔には、透明な部材が設けられることを特徴とする請求項２に記載のイメージセンサユニット。
【請求項４】
前記線状光源および前記イメージセンサは、平面視において前記被照明体の画像を読取る範囲である有効読取範囲の外側にも設けられており、
前記光路は、平面視において、前記有効読取範囲の外側に設けられることを特徴とする請求項１から３のいずれか１項に記載のイメージセンサユニット。
【請求項５】
前記線状光源は、
発光素子と、
前記発光素子が発する光を線状化する略棒状の導光体と、
を有し、
前記線状光源収容室は、
前記発光素子を収容する発光素子収容室と、
前記導光体を収容する導光体収容室と、
を有し、
前記光路は、前記導光体収容室から前記イメージセンサ収容室に至ることを特徴とする請求項１から４のいずれか１項に記載のイメージセンサユニット。
【請求項６】
前記導光体および前記イメージセンサは、平面視において前記被照明体の画像を読取る範囲である有効読取範囲の外側にも設けられており、
前記光路は、平面視において、前記発光素子と前記有効読取範囲との間に設けられることを特徴とする請求項５に記載のイメージセンサユニット。
【請求項７】
前記線状光源は、
複数の発光素子と、
前記複数の発光素子が直線状に並べて実装される配線板と、
を有することを特徴とする請求項１から４のいずれか１項に記載のイメージセンサユニット。
【請求項８】
前記線状光源には、赤外線を発する発光素子が含まれることを特徴とする請求項１から７のいずれか１項に記載のイメージセンサユニット。
【請求項９】
前記線状光源には、ある所定の波長の光を発する発光素子が含まれ、
前記被照明体と前記イメージセンサとの光路上には、前記所定の波長の光をカットするフィルターが設けられることを特徴とする請求項１から８のいずれか１項に記載のイメージセンサユニット。
【請求項１０】
前記所定の波長の光は、紫外線であることを特徴とする請求項９に記載のイメージセンサユニット。
【請求項１１】
イメージセンサユニットと被照明体とを相対的に移動させながら、前記被照明体からの反射光を読取る紙葉類識別装置であって、
前記イメージセンサユニットは、請求項１から１０のいずれか１項に記載のイメージセンサユニットであることを特徴とする紙葉類識別装置。
【請求項１２】
イメージセンサユニットと被照明体とを相対的に移動させながら、前記被照明体からの反射光を読取る画像読取装置であって、
前記イメージセンサユニットは、請求項１から１０のいずれか１項に記載のイメージセンサユニットであることを特徴とする画像読取装置。
【請求項１３】
イメージセンサユニットと被照明体とを相対的に移動させながら、前記被照明体からの反射光を読取る画像読取手段と、
記録媒体に画像を形成する画像形成手段と、
を備える画像形成装置であって、
前記イメージセンサユニットは、請求項１から１０のいずれか１項に記載のイメージセンサユニットであることを特徴とする画像形成装置。
【発明の詳細な説明】
【技術分野】
【０００１】
本発明は、イメージセンサユニット、紙葉類識別装置、画像読取装置および画像形成装置に関する。特には、被照明体に光を照射する光源を有するイメージセンサユニットと、このイメージセンサユニットが適用された紙葉類識別装置、画像読取装置および画像形成装置に関する。
【背景技術】
【０００２】
紙葉類識別装置や画像読取装置などには、被照明体としての紙幣や原稿を読取るイメージセンサユニットが用いられている。イメージセンサユニットには、被照明体に光を照射する光源と、被照明体からの光を検出するイメージセンサとを有するものがある。光源は、経年劣化などによって、光の照射強度が低下していく。光源の光の照射強度が低下すると、読取る画像の輝度が低下する。そこで、経年劣化による光の照射強度の低下を打ち消すように、光源の光の照射強度を補正する。
【０００３】
従来、このような補正には、特許文献１に開示される構成のように、白基準を用いていた。すなわち、光源が発する光を白基準に向けて照射し、白基準で反射した光をイメージセンサによって検出し、検出した反射光の強度に応じて光源の光の照射強度を補正していた。しかしながら、このような構成では白基準が必要になる。さらに、白基準での反射光を検出するため、補正結果が、白基準の有する光学的な特性の影響を受けることになる。例えば、白基準の反射率が低いと、検出される反射光の強度が低くなるため、補正に必要な光量が得られないことがある。
【先行技術文献】
【特許文献】
【０００４】
【特許文献１】特開２０１２−１４６２８５号公報
【発明の概要】
【発明が解決しようとする課題】
【０００５】
上述した実情に鑑み、本発明が解決しようとする課題は、白基準となる部材を設けなくても、補正に用いるデータを取得できるようにすることである。
【課題を解決するための手段】
【０００６】
前記課題を解決するため、本発明は、被照明体に光を照射して前記被照明体からの光を検出するイメージセンサユニットであって、光源と、前記光源が発する光を線状化する略棒状の導光体と、前記被照明体からの光を集光する集光体と、前記被照明体からの光を検出するイメージセンサと、前記導光体が収容される導光体収容室と前記イメージセンサが収容されるイメージセンサ収容室とが形成されるフレームと、を有し、前記フレームには、前記導光体収容室から前記イメージセンサ収容室に至る光路が形成されることを特徴とする。
【発明の効果】
【０００７】
本発明によれば、導光体から出射される光を、直接にイメージセンサに導くことができる。したがって、この光を用いることにより、白基準となる部材を設けなくても、補正に用いるデータを取得できるようにすることである。
【図面の簡単な説明】
【０００８】
【図１】図１は、第１実施形態のイメージセンサユニットの構成例を模式的に示す分解斜視図である。
【図２】図２は、第１実施形態のイメージセンサユニットの構成例を模式的に示す外観斜視図である。
【図３Ａ】図３Ａは、第１実施形態のイメージセンサユニットの構成例を模式的に示す平面図である。
【図３Ｂ】図３Ｂは、図３Ａから導光体を省略した図である。
【図３Ｃ】図３Ｃは、第１実施形態のイメージセンサユニットの変形例を模式的に示す平面図である。
【図４Ａ】図４Ａは、第１実施形態のイメージセンサユニットの構成例を模式的に示す断面図である。
【図４Ｂ】図４Ｂは、第１実施形態のイメージセンサユニットの構成例を模式的に示す断面図である。
【図５】図５は、第２実施形態のイメージセンサユニットの構成例を模式的に示す分解斜視図である。
【図６】図６は、第２実施形態のイメージセンサユニットの構成例を模式的に示す断面図である。
【図７】図７は、紙葉類識別装置の要部の構成例を模式的に示す断面図である。
【図８】図８は、紙葉類識別装置の要部の構成例を模式的に示す断面図である。
【図９】図９は、紙葉類識別装置の要部の構成例を模式的に示す断面図である。
【図１０】図１０は、画像読取装置の構成例を模式的に示す外観斜視図である。
【図１１】図１１は、画像読取装置の構成例を模式的に示す断面図である。
【図１２】図１２は、画像形成装置の構成例を模式的に示す外観斜視図である。
【図１３】図１３は、画像形成装置の画像形成部の構成を模式的に示す図である。
【発明を実施するための形態】
【０００９】
以下、本発明を適用できる実施形態について、図面を参照して詳細に説明する。本発明の実施形態では、イメージセンサユニットと、このイメージセンサユニットが適用された紙葉類識別装置、画像読取装置および画像形成装置を示す。イメージセンサユニットは、被照明体Ｐに対して副走査方向に相対的に移動しながら光を照射し、その反射光または透過光によって被照明体Ｐの画像を読取る。なお、本発明において、「光」とは、可視光線のみならず、紫外線、赤外線などの可視光線以外の波長帯域の電磁波を含むものとする。また、各図においては、三次元の各方向を、Ｘ，Ｙ，Ｚの各矢印で示す。Ｘ方向は、イメージセンサユニットの主走査方向である。Ｙ方向は、イメージセンサユニットの副走査方向である。Ｚ方向は、イメージセンサユニットの上下方向である。上下方向については、被照明体Ｐの側を上側とする。
【００１０】
（イメージセンサユニット（第１実施形態））
第１実施形態のイメージセンサユニット１ａの構成例について、図１〜図４Ｂを参照して説明する。図１は、第１実施形態のイメージセンサユニット１ａの構成例を模式的に示す分解斜視図である。図２は、第１の実施形態に係るイメージセンサユニット１ａの構成例を模式的に示す外観斜視図である。図３Ａは、イメージセンサユニット１ａの平面図である。図３Ｂは、図３Ａから導光体を省略した図である。図４Ａは、図３ＡのＩＶＡ−ＩＶＡ線断面図である。図４Ｂは、図３ＡのＩＶＢ−ＩＶＢ線断面図である。
【００１１】
図１〜図３Ｂに示すように、イメージセンサユニット１ａは、全体として、主走査方向に長い略棒状の構成を有する。イメージセンサユニット１ａは、線状光源３ａと、導光体３２と、集光体１３と、イメージセンサ基板１４と、イメージセンサ１５と、フィルター１６と、カバー部材１７とを有する。
【００１２】
線状光源３ａは、発光素子３１ａと導光体３２とで構成される。発光素子３１ａには、例えば、所定の発光色（赤色（Ｒ）、緑色（Ｇ）、青色（Ｂ）、赤外線（Ｉｒ）、紫外線（ＵＶ））の点状光源が適用される。例えば、発光素子３１ａには、前述の各発色光（波長域）のＬＥＤ素子を有するＬＥＤパッケージが適用される。なお、発光素子３１ａの発光色（波長域）は、前述の組み合わせに限定されない。例えば、発光素子３１ａの発光色は、一種類のみであってもよい。また、発光素子３１ａの発光色は、可視光（赤色（Ｒ）、緑色（Ｇ）、青色（Ｂ））と赤外線（Ｉｒ）であってもよく、可視光と紫外線（ＵＶ）であってもよい。さらに、赤外線と紫外線であってもよい。
【００１３】
導光体３２は、発光素子３１ａが発する光を線状化（線光源化）する光学部材である。導光体３２は、全体として主走査方向に細長い略棒状の構成を有する。導光体３２は、アクリル系の樹脂などといった透明の樹脂材料からなり、射出成形などによって一体に形成される。導光体３２の長手方向（主走査方向）の端面には、発光素子３１ａが発する光が入射する光入射面３２１が設けられる。導光体３２の側面には、光拡散面３２２（図４Ａ、図４Ｂ参照）と光出射面３２３とが設けられる。光拡散面３２２は、光入射面３２１から入射した光を拡散させるための面であり、主走査方向に細長い帯状形状を有する。光拡散面３２２には、例えば、光を乱反射させて拡散させるドットパターンが印刷される。光出射面３２３は、光入射面３２１から入射した光を被照明体Ｐに向けて出射する面である。光出射面３２３は、発光素子３１ａの発する光を線状化（線光源化）できるように、主走査方向に細長い帯状形状を有する。このほか、導光体３２の長手方向の端部には、フレーム１０に位置決めするための係合部３２４が設けられる。係合部３２４としては、例えば、長手方向に直交する方向（副走査方向）に突出する突起状の構成が適用できる。
【００１４】
集光体１３は、被照明体Ｐからの光（反射光や透過光）をイメージセンサ１５（後述）の表面に結像する光学部材である。集光体１３には、例えば、一般的な従来公知のロッドレンズアレイ（マイクロレンズアレイ）が適用される。一般的なロッドレンズアレイは、複数の正立等倍結像型の結像素子（ロッドレンズ）が主走査方向に直線状に配列された構成を有する。なお、集光体１３は、結像素子が直線状に配列される構成であればよく、具体的な構成は限定されない。例えば、集光体１３は、複数列の結像素子が配列される構成であってもよい。
【００１５】
イメージセンサ基板１４は、主走査方向に長い略長方形の回路基板である。イメージセンサ基板１４の上面には、イメージセンサ１５が設けられる。また、イメージセンサ基板１４の下面には、外部（紙葉類識別装置など）と接続するためのコネクタ１４１が実装される。さらに、イメージセンサ基板１４には、発光素子３１ａの光の照射強度の補正に用いる補正データが格納されたメモリが実装される。なお、このメモリには、公知の各種不揮発メモリが適用できる。
【００１６】
イメージセンサ１５は、集光体１３により結像した光（被照明体Ｐからの反射光や透過光）を検出して電気信号に変換する。イメージセンサ１５は、集光体１３からの反射光や透過光を検出できるように、受光面を上側に向けて実装される。イメージセンサ１５には、例えば、イメージセンサＩＣアレイが適用される。イメージセンサＩＣアレイは、複数のイメージセンサＩＣがイメージセンサ基板１４の上面に長手方向（主走査方向）に直線状に配列して実装されることによって構成される。イメージセンサＩＣは、直線状に並べて配列される複数の受光素子（光電変換素子）を有する。そして、イメージセンサＩＣは、受光素子の配列方向がイメージセンサ基板１４の長手方向（主走査方向）に平行になる向きで実装される。イメージセンサＩＣの数やイメージセンサＩＣに設けられる受光素子の数は、イメージセンサユニット１ａの読取りの解像度に応じて設定される。なお、イメージセンサ１５は、複数のイメージセンサＩＣがイメージセンサ基板１４の長手方向に配列される構成であればよく、それ以外の構成は特に限定されない。例えば、イメージセンサＩＣが千鳥配列のように複数列配列される構成であってもよい。なお、イメージセンサ１５としてのイメージセンサＩＣアレイを構成するイメージセンサＩＣには、従来公知の各種イメージセンサＩＣが適用できる。
【００１７】
コネクタ１４１は、イメージセンサ基板１４の下面に実装される。イメージセンサ基板１４に設けられるイメージセンサ１５や線状光源３ａの発光素子３１ａは、このコネクタ１４１を介して外部と電気的に接続される。なお、コネクタ１４１は、イメージセンサユニット１ａを紙葉類識別装置などの所定の機器（例えば回路基板）に、電力や電気信号を送受信可能に接続できる構成であればよく、具体的な構成は限定されない。
【００１８】
フィルター１６には、紫外線カットフィルターが適用される。なお、フィルター１６の機能については後述する。図４Ａと図４Ｂにおいては、フィルター１６が集光体１３とイメージセンサ１５との間に設けられる構成を示すが、フィルター１６が設けられる位置は、図４Ａと図４Ｂに示す位置に限定されない。例えば、フィルター１６は、カバー部材１７と集光体１３との間に設けられる構成であってもよい。要は、フィルター１６は、被照明体Ｐからイメージセンサ１５に至る光路上に設けられる構成であればよい。
【００１９】
フレーム１０は、イメージセンサユニット１ａの筺体である。フレーム１０は、上面視において主走査方向に長い長方形の形状を有する。フレーム１０は、例えば、黒色に着色されて遮光性を有する樹脂材料により形成される。樹脂材料としては、例えば、ポリカーボネートが適用できる。フレーム１０の内部には、線状光源３ａを収容する線状光源収容室１０１ａと、集光体１３を収容する集光体収容室１０２と、イメージセンサ基板１４を収容するイメージセンサ収容室１０３とが形成される。
【００２０】
線状光源収容室１０１ａは、線状光源３ａの導光体３２を収容する導光体収容室２０２と、線状光源３ａの発光素子３１ａを収容する発光素子収容室２０３とを有する。線状光源収容室１０１ａの導光体収容室２０２は、主走査方向に長く、上側が開口する領域である。導光体収容室２０２の主走査方向の端部近傍には、導光体３２の係合部３２４が係合する被係合部１０５が設けられる。前述のように、導光体３２の係合部３２４が副走査方向に突出する凸状の構成を有している場合には、被係合部１０５は、導光体３２の係合部３２４が係合（嵌まり込む）できる凹部が適用される。そして、導光体３２の係合部３２４が被係合部１０５に係合すると、導光体３２は、フレーム１０に対して主走査方向について位置決めされる。
【００２１】
また、フレーム１０には、導光体収容室２０２の副走査方向の一側に、導光体３２を保持する押さえ片１０６が設けられる。押さえ片１０６は、弾性変形可能な舌片状の構成を有する。押さえ片１０６は、導光体収容室２０２に収容された導光体３２を、副走査方向の他の一側および下側に向けて付勢する。このため導光体３２は、導光体収容室２０２に収容されると、導光体収容室２０２の副走査方向の他の一側の内周面（主走査方向に平行な面）と底面（上側を向く面）とに、付勢された状態で当接する。したがって、導光体３２は、フレーム１０に対して、副走査方向と上下方向について位置決めされた状態に保持される。
【００２２】
線状光源収容室１０１ａの発光素子収容室２０３は、長手方向（主走査方向）の端部近傍であって、導光体収容室２０２の長手方向外側に設けられる。発光素子収容室２０３は、発光素子３１ａが発する光を導光体３２の光入射面３２１に照射できるように、導光体収容室２０２と連通している。このため、発光素子収容室２０３に収容された発光素子３１ａは、導光体収容室２０２に収容された導光体３２の光入射面３２１に対向する。さらに発光素子収容室２０３の底部には、上下方向に貫通する貫通孔によってイメージセンサ収容室１０３と連通している。そして、発光素子収容室２０３に収容された発光素子３１ａの端子（リードフレーム）は、この貫通孔を通じてイメージセンサ収容室１０３に引き出され、イメージセンサ基板１４に接続（例えばハンダ付け）される。
【００２３】
集光体収容室１０２も、導光体収容室２０２と同様に、主走査方向に長く上側が開口する領域である。集光体収容室１０２は、集光体１３を、その光軸が上下方向を向く姿勢で（被照明体Ｐの読取ラインＯ（図４Ａ、図４Ｂ参照）を向く姿勢で）収容できる。集光体収容室１０２に収容された集光体１３は、例えば紫外線硬化型の接着剤によってフレーム１０に接着固定される。集光体収容室１０２の底部には、イメージセンサ収容室１０３に連通する開口部が形成される。この開口部は、集光体１３からイメージセンサ１５に至る光路となる。この開口部は、上下方向に貫通する貫通孔であり、平面視において主走査方向に長いスリット状の形状を有する。
【００２４】
イメージセンサ収容室１０３は、フレーム１０の内部の下寄りであって、導光体収容室２０２と集光体収容室１０２と発光素子収容室２０３の下側に設けられる（図４Ａ、図４Ｂ参照）。イメージセンサ収容室１０３は、下側が開口する領域であり、イメージセンサ１５が設けられたイメージセンサ基板１４を、下側から収容できる。イメージセンサ収容室１０３に収容されたイメージセンサ基板１４は、フレーム１０に設けられるボス（図略）などをカシメることによって、フレーム１０に固定される。そして、図４Ａと図４Ｂに示すように、イメージセンサ基板１４がイメージセンサ収容室１０３に収容されると、イメージセンサ基板１４に実装されるイメージセンサ１５は、集光体収容室１０２の底部に形成される開口部を通じて、集光体１３の下側の面と対向する。
【００２５】
カバー部材１７は、フレーム１０の上側に設けられる。カバー部材１７は、透明な板状の部材であり、例えばガラス板により形成される。カバー部材１７は、導光体３２や集光体１３と被照明体Ｐとを読取りに適した距離に維持する機能や、フレーム１０の内部に塵埃などの異物の侵入を防止する機能を有する。なお、イメージセンサユニット１ａが適用される画像読取装置などが、被照明体Ｐを載置するプラテンガラスなどを有する場合には、カバー部材１７は設けられなくてもよい。
【００２６】
（イメージセンサユニットの動作）
ここで、イメージセンサユニット１ａの動作について説明する。被照明体Ｐを読取る際には、発光素子３１ａの各色および赤外線のＬＥＤ素子を順次点灯する。発光素子３１ａが発する光は、導光体３２の光入射面３２１からその内部に入射し、光拡散面３２２において拡散するなどしてその内部を伝搬する。導光体３２の内部を伝搬した光は、導光体３２の光出射面３２３から線状化されて被照明体Ｐの読取ラインＯ（図４Ａ、図４Ｂ参照）に向けて出射する。被照明体Ｐの読取ラインＯからの反射光は、集光体１３によってイメージセンサ１５の表面に結像する。イメージセンサ１５は、集光体１３によって結像した光学像を検出して電気信号に変換する。そして、イメージセンサユニット１ａは、被照明体Ｐに光を照射して反射光を検出する動作を、被照明体Ｐと副走査方向に相対的に移動しながら、短時間で周期的に繰り返す。イメージセンサユニット１ａは、このような動作によって、被照明体Ｐに設けられる所定のパターン（例えば、ホログラム）を可視光画像として読取る。さらに、被照明体Ｐの赤外線画像を読取るとともに、被照明体Ｐに設けられる蛍光物質による蛍光を紫外線画像として読取る。
【００２７】
前述のとおり、被照明体Ｐからイメージセンサ１５に至る光路上には、フィルター１６が設けられる。本実施形態では、フィルター１６として、紫外線カットフィルターが適用される。発光素子３１ａが発した紫外線は、導光体３２によって線状化されて被照明体Ｐの読取ラインＯに向けて出射される。紫外線によって励起する蛍光物質が被照明体Ｐに設けられていると（例えば、蛍光塗料によって文字や図形が描かれていると）、被照明体Ｐの蛍光物質が紫外線によって励起して蛍光を発する。被照明体Ｐの蛍光物質が発する蛍光は、集光体１３によってイメージセンサ１５に結像する。このため、イメージセンサ１５は、蛍光を検出することで紫外線画像を読取ることができる。一方、被照明体Ｐの表面で反射した紫外線は、紫外線カットフィルターであるフィルター１６によって、イメージセンサ１５に入射しないようにカットされる。
【００２８】
なお、本実施形態では、フィルター１６に紫外線カットフィルターが適用される構成を示したが、フィルター１６は紫外線カットフィルターに限定されない。要は、発光素子３１ａがある波長域の励起光を被照明体Ｐに照射し、この励起光によって励起して発せられる蛍光を検出する構成において、蛍光を透過し励起光をカットするフィルターが適用される構成であればよい。
【００２９】
また、イメージセンサユニット１ａは、被照明体Ｐを挟んでその反対側に光源装置や別のイメージセンサユニット１ａを配置することによって、透過読取りが可能なる。この場合には、光源装置や別のイメージセンサユニット１ａが発する光が被照明体Ｐを透過し、集光体によってイメージセンサ１５の表面に結像する。イメージセンサ１５は、集光体１３によって結像した光学像を検出して電気信号（画像信号）に変換する。そして、イメージセンサユニット１ａは、光源装置や別のイメージセンサユニット１ａにより被照明体Ｐに光を照射して透過光を検出する動作を、被照明体Ｐと副走査方向に相対的に移動しながら、短時間で周期的に繰り返す。
【００３０】
図３Ａと図３Ｂに示すように、イメージセンサユニット１ａには、有効読取範囲Ｅが設けられる。なお、図３Ａと図３Ｂにおいては、内部構造が分かるように、カバー部材１７を省略してある。さらに、図３Ｂにおいては、導光体３２を省略してある。有効読取範囲Ｅは、イメージセンサユニット１ａが、実際に被照明体Ｐの読取りを行う範囲である。すなわち、イメージセンサユニット１ａは、イメージセンサ１５の有効読取範囲Ｅに結像した光を、被照明体Ｐの画像として読取り、電気信号（画像信号）に変換して出力する。ただし、イメージセンサ１５は、有効読取範囲Ｅの外側にも設けられる。例えば、イメージセンサ１５の長手方向（主走査方向）寸法は、有効読取範囲Ｅの寸法（主走査方向寸法）よりも大きい。そして、イメージセンサ１５は、受光素子が有効読取範囲Ｅの全域に存在するように設けられる。さらに、イメージセンサ１５は、その長手方向の端部が有効読取範囲Ｅの外側に位置し、有効読取範囲Ｅの外側（主走査方向の外側であって、端部近傍の領域）にも受光素子が存在するように設けられる。そして、イメージセンサ１５は、有効読取範囲Ｅの外側においても、受光素子に入射した光を検出し、検出した光の強度に応じた電気信号を出力する。
【００３１】
（補正用光路）
図３Ａ〜図４Ａに示すように、フレーム１０には補正用光路１０８が設けられる。なお、図４Ａ（図３ＡのＩＶＡ−ＩＶＡ線断面）は、有効読取範囲Ｅの主走査方向の外側における断面図であり、図４Ｂ（図３ＡのＩＶＢ−ＩＶＢ線断面）は、有効読取範囲Ｅの範囲内における断面図である。補正用光路１０８は、発光素子３１ａが発する光の照射強度の補正に用いられる。ここで、補正用光路１０８について説明する。補正用光路１０８は、導光体収容室２０２からイメージセンサ収容室１０３に至る光路である。補正用光路１０８は、例えば、導光体収容室２０２とイメージセンサ収容室１０３とを連通する貫通孔が適用される。この補正用光路１０８は、図３Ａ〜図４Ａに示すように、有効読取範囲Ｅの主走査方向の外側に設けられる。例えば、補正用光路１０８は、平面視において、有効読取範囲Ｅと発光素子収容室２０３との間に設けられる。また、補正用光路１０８の導光体収容室２０２側の開口部は、導光体３２の側面に覆われる位置に設けられる。そして、補正用光路１０８は、平面視において有効読取範囲Ｅの内側には設けられない。このように、本実施形態において、イメージセンサユニット１ａのフレーム１０には、有効読取範囲Ｅの外側に、導光体３２からフィルター１６を通過せずにイメージセンサ１５に至る補正用光路１０８が設けられる。
【００３２】
この補正用光路１０８は、光路蓋体１０９によって塞がれている構成であってもよい。ただし、光路蓋体１０９は、発光素子３１ａが発する光（本実施形態では、可視光、赤外線、紫外線）の透過率の高い材料によって形成される。このような材料としては、ガラスなどが適用できる。補正用光路１０８が光路蓋体１０９によって塞がれる構成であると、補正用光路１０８や導光体収容室２０２に、塵埃などの異物が侵入することが防止される。また、光路蓋体１０９は、光の透過率を制御できる部材であってもよい。例えば、光路蓋体１０９として、液晶シャッターが適用できる。この場合、補正の際には液晶シャッターを開放し、それ以外（実際の使用時など）においては液晶シャッターを閉鎖する。これにより、迷光の発生を防止し、補正用光路１０８を通過した光がイメージセンサ１５の有効読取範囲Ｅの内側に位置する受光素子に入射することを防止できる。なお、光路蓋体１０９に液晶シャッターなどが適用される構成であれば、補正用光路１０８は、有効読取範囲Ｅの内側に設けられる構成であってもよい。なお、この光路蓋体１０９は、発光素子３１ａが発する光に対してはフィルターの機能（特定の波長域の光を遮断や低減するなどの機能）を有していないものが適用される。例えば、液晶シャッターは、発光素子３１ａが発する光の透過率を切替えるが、特定の波長域の光の遮断や低減はしない。
【００３３】
導光体収容室２０２に収容された導光体３２の側面から出射した光は、この補正用光路１０８を通過し、フィルター１６を通過することなく、イメージセンサ１５に直接に入射する。なお、前述のとおり、補正用光路１０８の導光体収容室２０２側の開口部は、導光体３２の側面に覆われる位置に設けられる。このため、発光素子３１ａが発した光は、導光体３２を介して補正用光路１０８に入射する。
【００３４】
このような補正用光路１０８が設けられる構成であると、補正用光路１０８を通過した光をイメージセンサ１５で検出することで、検出結果に応じて発光素子３１ａの光の照射強度の補正を行うことができる。例えば、発光素子３１ａは経年劣化により、徐々に光の照射強度が低下する。そこで、経年劣化による照射強度の低下を打ち消すことができるように、発光素子３１ａの照射強度（発光素子３１ａに投入する電力）を補正する。従来は、白基準で反射した光の強度を測定することにより、発光素子３１ａの照射強度を補正していた。このため、補正のために白基準が必要であった。これに対して、本実施形態によれば、補正用光路１０８を通過してイメージセンサ１５に入射した光の強度を測定することにより発光素子３１ａの照射強度を補正できるから、白基準が不要になる。
【００３５】
図３Ｃは、第１実施形態の変形例を示す図であり、図３Ｂに対応する図である。図３Ｃに示すように、補正用光路１０８は、発光素子３１ａが設けられる側とは反対側に設けられてもよい。また、補正用光路１０８は、長手方向の両端のそれぞれに設けられてもよい。補正用光路１０８が長手方向の両端部に設けられる構成であると、シェーディング補正の実行が可能になる。
【００３６】
なお、図４Ａに示すように、導光体３２には、補正用光路１０８に向けて光を反射する光反射面３２５が設けられる構成であることが好ましい。具体的には、光反射面３２５は、導光体３２の長手方向の端部近傍（導光体収容室２０２に収容された状態で、有効読取範囲Ｅの外側に位置する部分）の側面のうち、補正用光路１０８を塞ぐ面の反対側の面に設けられる。光反射面３２５は、光を乱反射する表面性状を有していればよい。例えば、光反射面３２５には、光を乱反射する塗料が塗布される構成や、光を乱反射するプリズムパターンが設けられる構成が適用できる。このような構成によれば、補正用光路１０８を通じてイメージセンサ１５に入射する光の強度を強くできる。したがって、補正の精度の向上を図ることができる。また、導光体３２に光反射面３２５が設けられる構成に代えて、またはこの構成に加えて、フレーム１０の導光体収容室２０２の内周面に光反射面２０１が設けられる構成であってもよい。この場合、光反射面２０１は、フレーム１０の導光体収容室２０２の内周面であって、補正用光路１０８に対向する面の有効読取範囲Ｅの外側の部分に設けられる。このような構成であっても、前記同様の効果を奏する。
【００３７】
さらに、紫外線の照射強度の補正については、次のような理由により、補正の精度を高めることができる。被照明体Ｐからイメージセンサ１５に至る光路上にフィルター１６（紫外線カットフィルター）が設けられる構成であると、イメージセンサ１５は、白基準（被照明体Ｐ）で反射した紫外線を検出できない。このため従来は、蛍光物質を有する白基準（例えば、紫外線により励起して蛍光を発する蛍光塗料が塗布された白基準）を用い、白基準の蛍光物質の蛍光を検出することにより、発光素子３１ａの紫外線の照射強度を測定していた。しかしながら、一般的に蛍光物質の特性は経年劣化することから、安定的に蛍光の強度（すなわち、紫外線の強度）の測定ができない。また、イメージセンサユニット１ａの製造時などの初回の補正に用いた蛍光物質と同じ特性を有する蛍光物質を、イメージセンサユニット１ａの使用開始後のある程度の期間が経過した後に入手することは困難である。
【００３８】
これに対して、本実施形態においては、イメージセンサ１５の有効読取範囲Ｅの外側であって補正用光路１０８が設けられる位置に対応する受光素子には、発光素子３１ａから発せられて補正用光路１０８を通過した光（紫外線）が入射する。補正用光路１０８および補正用光路１０８からイメージセンサ１５に至る光路上には、紫外線カットフィルターが設けられない。このため、発光素子３１ａが発した光は、導光体３２と補正用光路１０８とを通過することによって、フィルター１６（紫外線カットフィルター）を通過することなく、イメージセンサ１５に入射する。このような構成であると、紫外線の照射強度を測定する場合においては、発光素子３１ａが発する紫外線の照射強度を直接的に測定できる。このため、白基準に設けられる蛍光物質の特性の相違や経年劣化の影響を受けない。したがって、白基準の蛍光を測定する構成に比較して、発光素子３１ａの紫外線の照射強度を正確に測定できる。そして、この測定結果を発光素子３１ａの紫外線の照射強度の補正に反映させることができるから、補正が正確になる。また、初回の補正に用いた蛍光物質と同じ特性を有する蛍光物質を確保する必要もなくなる。
【００３９】
また、赤外線の照射強度の補正については、次のような理由により、補正の精度を高めることができる。補正に用いられる白基準は、一般的に赤外線を透過しやすい。このため、イメージセンサ１５に入射する赤外線の強度が低くなるから、補正に必要な照射強度を確保することが困難である。これに対して、本実施形態によれば、発光素子３１ａの赤外線の照射強度の補正に、導光体３２と補正用光路１０８を通過してイメージセンサ１５に入射した赤外線の照射強度の測定結果を用いることができる。このため、白基準で反射した赤外線の照射強度を用いる構成に比較して、高い照射強度の赤外線を用いて補正を行うことができる。したがって、補正の正確さを向上させることができる。
【００４０】
なお、可視光についても、白基準を用いることなく照射強度を補正できる。このため、可視光の補正についても、白基準の光学的な特性（例えば透過率）の影響を受けることがない。
【００４１】
なお、図３Ａ〜図４Ａに示すように、この補正用光路１０８は、有効読取範囲の外側であって、平面視において発光素子収容室２０３と有効読取範囲との間に形成される。ただし、この補正用光路１０８は、有効読取範囲Ｅの内側には形成されない。このため、補正用光路１０８を通過した光が、イメージセンサ１５の有効読取範囲Ｅに入射することがない。したがって、補正用光路１０８を通過した光は、有効読取範囲Ｅにおける画像の読取りに影響を与えない。
【００４２】
ここで、補正の具体的な方法について説明する。イメージセンサユニット１ａの製造後において、例えば工場出荷時において、イメージセンサユニット１ａを動作させ、補正用光路１０８を通じてイメージセンサ１５に入射した光の強度を検出する。そして、検出した光の強度を、補正用データとして、イメージセンサ基板１４に実装されたメモリに格納する。その後、イメージセンサユニット１ａの使用開始後は、定期的に（例えば、起動するごとに）、補正用光路１０８を通じてイメージセンサ１５に入射した光の強度を検出する。そして、検出した光の強度と補正用データとを比較し、補正用データと同じ強度が得られるように、発光素子３１ａの光の照射強度を補正する。また、イメージセンサユニット１ａの動作中においても、周期的に補正を行う構成であってもよい。このような構成によれば、環境温度の変動により発光素子３１ａの光の照射強度が変動した場合にも対応できる。
【００４３】
（イメージセンサユニット（第２実施形態））
なお、第１実施形態では、イメージセンサユニット１ａが導光体３２を有する構成を示したが、導光体３２を有さない構成であってもよい。ここで、第２実施形態として、導光体３２を有さないイメージセンサユニット１ｂの構成例について、図５と図６を参照して説明する。図５は、第２実施形態のイメージセンサユニット１ｂの構成例を模式的に示す分解斜視図であり、第１実施形態の図１に対応する図である。図６はイメージセンサユニット１ｂの構成例を模式的に示す断面図であり、第１実施形態の図４Ａに対応する図である。
【００４４】
図５に示すように、第２実施形態のイメージセンサユニット１ｂは、線状光源３ｂの構成と線状光源収容室１０１ｂとが第１実施形態と相違する。これら以外は、第１実施形態のイメージセンサユニット１ａと共通の構成が適用できる。
【００４５】
線状光源３ｂは、主走査方向に長い帯状の配線板３３と、この配線板３３の上面に実装される複数の発光素子３１ｂとを有する。配線板３３は、従来公知の各種リジッド基板やフレキシブル基板が適用できる。発光素子３１ｂは、例えば、所定の発光色（赤色（Ｒ）、緑色（Ｇ）、青色（Ｂ）、赤外線（Ｉｒ）、紫外線（ＵＶ））の表面実装型の発光素子が適用される。例えば、発光素子３１ｂには、前述の各発色光（波長域）のＬＥＤ素子を有する表面実装型のＬＥＤパッケージが適用される。なお、第１実施形態と同様に、発光素子３１ｂの発光色（波長域）は、前述の組み合わせに限定されない。そして、図５に示すように、複数の発光素子３１ｂが、配線板３３の上面に、長手方向（主走査方向）に直線状に並べて実装される。複数の発光色の発光素子３１ｂが適用される構成であれば、各色の発光素子３１ｂが、長手方向に周期的に直線状に並べて実装される。
【００４６】
フレーム１０ｂの線状光源収容室１０１ｂは、第１実施形態の導光体収容室２０２と同様に、主走査方向に長く、上側が開口する領域である。なお、線状光源収容室１０１ｂは、線状光源３ｂを、実装された複数の発光素子３１ｂが主走査方向に直線状に並ぶ向きに収容できればよく、具体的な構成は特に限定されない。
【００４７】
そして、図６に示すように、線状光源３ｂは、フレーム１０ｂの線状光源収容室１０１ｂに収容される。この状態において、線状光源３ｂに含まれる複数の発光素子３１ｂのうちの少なくとも１つは、有効読取範囲Ｅの外側に位置する。特に、複数の発光素子３１ｂのうちの少なくとも１つが、補正用光路１０８の開口部に副走査方向に並ぶ構成であることが好ましい。このような構成によれば、発光素子３１ｂが発した光は、補正用光路１０８を通過することにより、集光体１３とフィルター１６を経ずに、直接にイメージセンサ１５に入射する。そして、第２実施形態でも、第１実施形態と同様に、補正用光路１０８を通じてイメージセンサ１５に入射した光を用いて、線状光源３ｂに含まれる発光素子３１ｂの光の照射強度の補正を行う。このように、第２実施形態では、線状光源３ｂの一部の発光素子３１ｂが発する光を用いることにより、他の発光素子３１ｂの劣化を推測（予測）して補正を行うことになる。
【００４８】
（紙葉類識別装置）
イメージセンサユニット１ａ，１ｂが適用された紙葉類識別装置５ａ〜５ｃについて、図７〜図９を参照して説明する。図７〜図９は、紙葉類識別装置５ａ〜５ｃの要部の構成を模式的に示す断面図であり、主走査方向に直角な面での断面を示す図である。なお、図７〜図９においては、第１実施形態のイメージセンサユニット１ａが適用される構成の例を示すが、第２実施形態のイメージセンサユニット１ｂも同様に適用できる。紙葉類識別装置５ａ〜５ｃは、被照明体Ｐである紙幣などに光を照射すると共に、紙幣からの光を読取り、読取った光を用いて紙幣の種類や真贋の識別を行う。なお、紙葉類識別装置５ａ〜５ｃに適用されるイメージセンサユニット１ａ，１ｂの線状光源３ａ，３ｂの発光素子３１ａ，３１ｂは、可視光を発する発光素子と、赤外線を発する発光素子と、紫外線を発する発光素子とを有する。
【００４９】
図７に示すように、紙葉類識別装置５ａは、イメージセンサユニット１ａ，１ｂと、紙幣を搬送する搬送ローラー５１と、コネクタ１４１に配線接続された識別手段としての画像識別部５２とを備える。そして、紙葉類識別装置５ａには、搬送ローラー５１によって紙幣を挟んでカバー部材１７を介してイメージセンサユニット１ａ，１ｂ上を読取方向（副走査方向）に搬送するための搬送経路Ａが設定される。なお、集光体１３の上側（紙幣側）の焦点は、搬送経路Ａの上下方向の中央に設定される。
【００５０】
このような構成の紙葉類識別装置５ａの動作は、次のとおりである。紙葉類識別装置５ａに適用されたイメージセンサユニット１ａ，１ｂが、前述した動作によって、紙幣に設けられる所定のパターンを可視光画像として読取る。さらに、紙幣の赤外線画像を読取るとともに、紙幣の紫外線画像を読取る。その後、画像識別部５２は、予め用意された真券である紙幣に可視光線、赤外線および紫外線を照射することで得られた真券紙幣画像と、真贋判定時に判定対象となる紙幣の可視光画像、赤外線画像および紫外線画像とを比較することで、紙幣の真贋判定を行う。これは、真券である紙幣には、可視光下と赤外線下と紫外線下で得られる画像がそれぞれ異なるような領域が設けられているためである。なお、説明および図示を省略した部分については、従来の紙葉類識別装置と同じ構成が適用できる。また、画像識別部５２はイメージセンサ基板１４に設けられる構成であってもよい。
【００５１】
図８に示す紙葉類識別装置５ｂは、透過光源装置５３をさらに有する。透過光源装置５３は、線状光源として発光素子５３１と導光体５３２とを有する。透過光源装置５３の発光素子５３１および導光体５３２には、イメージセンサユニット１ａ，１ｂに適用された線状光源３ａの発光素子３１ａおよび導光体３２と同じ構成が適用できる。ただし、第２実施形態の線状光源３ｂのように、複数の発光素子とこれら複数の発光素子が実装された配線板を有する構成であってもよい。そして、図８に示すように、透過光源装置５３は、イメージセンサユニット１ａ，１ｂに対向する位置に設けられ、紙幣に向けて光を照射する。特に、透過光源装置５３は、その導光体５３２の出射面から照射される光の光軸と、イメージセンサユニット１ａ，１ｂの集光体１３の光軸とが一致するように配設される。
【００５２】
このような構成の紙葉類識別装置５ｂの動作は、次のとおりである。イメージセンサユニット１ａ，１ｂに組み込まれた線状光源３ａ，３ｂの発光素子３１ａ，３１ｂおよび透過光源装置５３の発光素子５３１は、各色の可視光線、赤外線および紫外線の発光素子を順次点灯する。イメージセンサユニット１ａ，１ｂの導光体３２から紙幣に照射された光（可視光、赤外線、紫外線）は、紙幣の表面で反射して集光体１３に入射し、イメージセンサ１５の表面に結像する。イメージセンサ１５は、結像した光学像を電気信号に変換することによって、紙幣からの反射光による可視光画像と赤外線画像と紫外線画像との画像データを生成する。一方、透過光源装置５３から紙幣に照射された光は、紙幣を透過してイメージセンサユニット１ａ，１ｂの集光体１３に入射し、イメージセンサ１５の表面に結像する。イメージセンサ１５は、結像した光学像を電気信号に変換することによって、紙幣からの透過光による可視光画像と赤外線画像と紫外線画像との画像データを生成する。
【００５３】
そして、イメージセンサユニット１ａ，１ｂの発光素子３１ａ，３１ｂおよび透過光源装置５３は、紙幣に光を照射して反射光と透過光を検出する動作を、短時間で交互に繰り返す。イメージセンサユニット１ａ，１ｂは、このような動作によって、紙幣に設けられる所定のパターン（例えば、ホログラム）を可視光画像として読取るとともに、紙幣の赤外線画像と紫外線画像を読取る。このような構成によれば、紙葉類識別装置５ｂは、紙幣の反射光および透過光による可視光画像と赤外線画像と紫外線画像とを読取ることができる。
【００５４】
図９に示す紙葉類識別装置５ｃは、は、２基のイメージセンサユニット１ａ，１ｂを有する。図９に示すように、２基のイメージセンサユニット１ａ，１ｂは、紙幣の搬送経路Ａを挟んで対向するように配設される。そして、２基のイメージセンサユニット１ａ，１ｂは、一方のイメージセンサユニット１ａ，１ｂの線状光源３ａ，３ｂから照射されて紙幣を透過した光が、他方のイメージセンサユニット１ａ，１ｂの集光体１３に入射するように配置される。
【００５５】
このような構成の紙葉類識別装置５ｃの動作は、次のとおりである。２基のイメージセンサユニット１ａ，１ｂに組み込まれた線状光源３ａ，３ｂは、各色の可視光線、赤外線および紫外線の発光素子を順次点灯する。一方のイメージセンサユニット１ａ，１ｂの線状光源３ａ，３ｂから紙幣に照射された光は、紙幣の表面で反射して一方のイメージセンサユニット１ａ，１ｂの集光体１３に入射し、一方のイメージセンサユニット１ａ，１ｂのイメージセンサ１５の表面に結像する。一方のイメージセンサユニット１ａ，１ｂのイメージセンサ１５は、結像した光学像を電気信号に変換することによって、紙幣からの反射光による可視光画像と赤外線画像と紫外線画像とを取得する。また、一方のイメージセンサユニット１ａ，１ｂの線状光源３ａ，３ｂから紙幣に照射された光は、紙幣を透過して他方のイメージセンサユニット１ａ，１ｂの集光体１３に入射し、他方のイメージセンサユニット１ａ，１ｂのイメージセンサ１５の表面に結像する。他方のイメージセンサユニット１ａ，１ｂのイメージセンサ１５は、結像した光学像を電気信号に変換することによって、紙幣からの透過光による可視光画像と赤外線画像と紫外線画像とを取得する。このような構成によれば、紙葉類識別装置５ｃは、紙幣の両面の反射画像を読取ることができるとともに、透過画像を読取ることができる。
【００５６】
なお、本実施形態においては、可視光線と赤外線と紫外線とを照射することで紙幣を可視光画像と赤外線画像と紫外線画像として読取る構成を示したが、この構成に限定されない。例えば、可視光と赤外線と紫外線のいずれか１種または２種を照射する構成であっても構わない。また、被照明体Ｐとして紙幣が適用される構成を示したが、紙葉類の種類は限定されるものではない。例えば、各種有価証券やＩＤカードなどについても読取ができる。
【００５７】
（画像読取装置（その１））
図１０は、画像読取装置としてのフラットベッド方式のスキャナー７ａの構成を示す斜視図である。スキャナー７ａは、筺体７１ａと、被照明体載置部としてのプラテンガラス７２と、イメージセンサユニット１ａ，１ｂと、イメージセンサユニット１ａ，１ｂを駆動する駆動機構と、回路基板７３ａと、プラテンカバー７４とを有する。被照明体載置部としてのプラテンガラス７２は、ガラスなどの透明板からなり、筺体７１ａの上面に取り付けられる。プラテンカバー７４は、プラテンガラス７２に載置された被照明体Ｐを覆うように、筺体７１ａに対してヒンジ機構などを介して開閉可能に取付けられる。イメージセンサユニット１ａ，１ｂと、このイメージセンサユニット１ａ，１ｂを駆動するための駆動機構と、回路基板７３ａとは、筺体７１ａの内部に収容される。なお、スキャナー７ａがプラテンガラス７２を有するため、イメージセンサユニット１ａ，１ｂはカバー部材１７を有さなくてもよい。
【００５８】
駆動機構は、保持部材７５０と、ガイドシャフト７５１と、駆動モーター７５２と、ワイヤー７５４とを含む。保持部材７５０は、イメージセンサユニット１ａ，１ｂを囲むように保持する。ガイドシャフト７５１は、保持部材７５０をプラテンガラス７２に沿って読取方向（副走査方向）に移動可能にガイドする。駆動モーター７５２と保持部材７５０とはワイヤー７５４を介して連結されており、駆動モーター７５２の駆動力によってイメージセンサユニット１ａ，１ｂを保持する保持部材７５０を副走査方向に移動させる。そして、イメージセンサユニット１ａ，１ｂは、駆動モーター７５２の駆動力によって副走査方向に移動しながら、プラテンガラス７２に載置された被照明体Ｐである原稿などを読取る。このように、イメージセンサユニット１ａ，１ｂと被照明体Ｐとを相対的に移動させながら、被照明体Ｐを読取る。
【００５９】
回路基板７３ａには、イメージセンサユニット１ａ，１ｂが読取った画像に所定の画像処理を施す画像処理回路や、イメージセンサユニット１ａ，１ｂを含むスキャナー７ａの各部を制御する制御回路や、スキャナー７ａの各部に電力を供給する電源回路などが構築される。
【００６０】
（画像読取装置（その２））
図１１は、画像読取装置としてのシートフィード方式のスキャナー７ｂの構成を示す断面模式図である。図１１に示すように、スキャナー７ｂは、筺体７１ｂと、イメージセンサユニット１ａ，１ｂと、搬送ローラー７６と、回路基板７３ｂと、カバーガラス７７とを有する。搬送ローラー７６は、図示を省略した駆動機構によって回転し、被照明体Ｐを挟んで搬送する。カバーガラス７７は、イメージセンサユニット１ａ，１ｂの上側を覆うように設けられる。回路基板７３ｂには、イメージセンサユニット１ａ，１ｂを含むスキャナー７ｂの各部を制御する制御回路や、スキャナー７ｂの各部に電力を供給する電源回路などが構築される。
【００６１】
そして、スキャナー７ｂは、搬送ローラー７６によって被照明体Ｐを読取り方向（副走査方向）に搬送しつつ、イメージセンサユニット１ａ，１ｂにより被照明体Ｐを読取る。すなわち、イメージセンサユニット１ａ，１ｂと被照明体Ｐとを相対的に移動させながら、被照明体Ｐを読取る。なお、図１１においては、被照明体Ｐの片面を読取るスキャナー７ｂの例を示すが、２つのイメージセンサユニット１ａ，１ｂが被照明体Ｐの搬送経路Ａを挟んで対向するように設けられ、被照明体Ｐの両面を読取る構成であってもよい。
【００６２】
以上、図１０と図１１を参照して、本発明を適用できるイメージセンサユニット１ａ，１ｂを用いた画像読取装置の例としてスキャナー７ａ，７ｂを説明したが、イメージセンサユニット１ａ，１ｂを用いた画像読取装置の構成や種類は、これらに限定されるものではない。
【００６３】
（画像形成装置）
次に、本発明の実施形態である画像形成装置９の構成例について、図１２と図１３を参照して説明する。本発明の実施形態である画像形成装置９には、本発明の実施形態であるイメージセンサユニット１ａ，１ｂが適用される。図１２は、本発明の実施形態である画像形成装置９の外観斜視図である。図１３は、本発明の実施形態である画像形成装置９の筺体９１の内部に設けられる画像形成部９２を抜き出して示した斜視図である。図１２と図１３に示すように、画像形成装置９は、フラットベッド方式のスキャナーとインクジェット方式のプリンタとの複合機（ＭＦＰ；Ｍｕｌｔｉｆｕｎｃｔｉｏｎ  Ｐｒｉｎｔｅｒ）である。画像形成装置９は、画像を読取る画像読取手段としての画像読取部９３と、画像を形成する画像形成手段としての画像形成部９２とを有する。そして、画像形成装置９の画像読取部９３には、イメージセンサユニット１ａ，１ｂが組み込まれる。なお、画像形成装置９の画像読取部９３は、前述の画像読取装置と共通の構成が適用できる。したがって、画像読取装置と共通の構成については説明を省略する。
【００６４】
図１２に示すように、画像形成装置９には、操作部９４が設けられる。操作部９４には、操作メニューや各種メッセージなどを表示する表示部９４１と、画像形成装置９を操作するための各種操作ボタン９４２が設けられる。また、図１３に示すように、画像形成装置９の筺体９１の内部には、画像形成部９２が設けられる。画像形成部９２は、搬送ローラー９２１と、ガイドシャフト９２２と、インクジェットカートリッジ９２３と、モーター９２６と、一対のタイミングプーリー９２７とを有する。搬送ローラー９２１は、駆動源の駆動力によって回転し、記録媒体としての印刷用紙Ｒを副走査方向に搬送する。ガイドシャフト９２２は棒状の部材であり、その軸線が印刷用紙Ｒの主走査方向に平行となるように画像形成装置９の筺体９１に固定される。
【００６５】
インクジェットカートリッジ９２３は、ガイドシャフト９２２上をスライドすることによって、印刷用紙Ｒの主走査方向に往復動できる。インクジェットカートリッジ９２３は、例えば、シアンＣ、マゼンタＭ、イエローＹ、黒Ｋのインクを備えたインクタンク９２４（９２４Ｃ，９２４Ｍ，９２４Ｙ，９２４Ｋ）と、これらのインクタンク９２４にそれぞれ設けられた吐出ヘッド９２５（９２５Ｃ，９２５Ｍ，９２５Ｙ，９２５Ｋ）から構成される。一対のタイミングプーリー９２７の一方は、モーター９２６の回転軸に取り付けられる。そして、一対のタイミングプーリー９２７は、印刷用紙Ｒの主走査方向に互いに離れた位置に設けられる。タイミングベルト９２８は、一対のタイミングプーリー９２７に平行掛けに巻き掛けられ、所定の箇所がインクジェットカートリッジ９２３に連結される。
【００６６】
画像形成装置９の画像読取部９３は、イメージセンサユニット１ａ，１ｂが読取った画像を、印刷に適した形式の電気信号に変換する。そして、画像形成装置９の画像形成部９２は、画像読取部９３のイメージセンサユニット１ａ，１ｂが変換した電気信号に基づいて、搬送ローラー９２１、モーター９２６、インクジェットカートリッジ９２３を駆動し、印刷用紙Ｒに画像を形成する。このほか、画像形成装置９の画像形成部９２は、外部から入力された電気信号に基づいて画像を形成することができる。なお、画像形成装置９のうち、画像形成部９２の構成および動作は、従来公知の各種プリンタと同じ構成が適用できる。したがって、詳細な説明は省略する。なお、画像形成部９２としてインクジェット方式による画像形成装置を説明したが、電子写真方式、熱転写方式、ドットインパクト方式などどのような方式であっても構わない。
【００６７】
以上、本発明の実施形態および実施例について詳細に説明したが、前述の実施形態および実施例は、本発明を実施するにあたっての具体例を示したに過ぎない。本発明の技術的範囲は、前述の実施形態および実施例に限定されるものではない。本発明は、その趣旨を逸脱しない範囲において、種々の変更が可能である。
【００６８】
例えば、本発明にかかる画像読取装置は、前述の実施形態に記載される構成のイメージスキャナーに限定されるものではない。また、画像形成装置も、インクジェット方式に限定されず、電子写真方式、熱転写方式、ドットインパクト方式などどのような方式であってもよく、前述の実施形態に記載される複合機に限定されるものではない。本発明にかかるイメージセンサユニットが適用される複写機やファクシミリも、本発明の画像読取装置に含まれる。
【産業上の利用可能性】
【００６９】
本発明は、イメージセンサユニットと、このイメージセンサユニットが適用される画像読取装置や画像形成装置（例えば、イメージスキャナー、ファクシミリ、複写機、複合機など）に有効に利用できるものである。
【符号の説明】
【００７０】
１：イメージセンサユニット
１０ａ，１０ｂ：フレーム
１０１ａ，１０１ｂ：線状光源収容室
１０２：集光体収容室
１０３：イメージセンサ収容室
１０４：光源収容室
１０５：被係合部
１０６：押さえ片
１０８：補正用光路
１０９：光路蓋体
２０１：光反射面
２０２：導光体収容室
２０３：発光素子収容室
１３：集光体
１４：イメージセンサ基板
１４１：コネクタ
１５：イメージセンサ
１６：フィルター
１７：カバー部材
３ａ，３ｂ：線状光源
３１ａ，３１ｂ：発光素子
３２：導光体
３２１：光入射面
３２２：光拡散面
３２３：光出射面
３２４：係合部
３２５：光反射面
３３：配線板
Ａ：搬送経路
Ｐ：被照明体
Ｏ：読取ライン
【図１】
2016149769.tif 000003
【図２】
2016149769.tif 000004
【図３Ａ】
2016149769.tif 000005
【図３Ｂ】
2016149769.tif 000006
【図３Ｃ】
2016149769.tif 000007
【図４Ａ】
2016149769.tif 000008
【図４Ｂ】
2016149769.tif 000009
【図５】
2016149769.tif 000010
【図６】
2016149769.tif 000011
【図７】
2016149769.tif 000012
【図８】
2016149769.tif 000013
【図９】
2016149769.tif 000014
【図１０】
2016149769.tif 000015
【図１１】
2016149769.tif 000016
【図１２】
2016149769.tif 000017
【図１３】
2016149769.tif 000018